(57)【要約】【課題】断面形状が、前壁部側と後壁部側で異なる、非対称な形状である軒樋に対し、１種類で対応可能であるとともに、簡略化された構造を有し、製造と軒樋への取付けが容易である軒樋止まり部材を提供すること。【解決手段】軒樋止まり部材１では、平板状の本体部３が設けられ、軒樋２の内周面の形状に一致する断面形状を有し、軒樋に内側から嵌合可能とされた嵌合リブ６が、本体部の表面３ａおよび裏面の両方に突設され、本体部の表面側と裏面側に位置する嵌合リブは、本体部を挟んで対称に配置されている。【選択図】図１
2012112131.tif 000002
【特許請求の範囲】
【請求項１】
断面形状が、前壁部側と後壁部側で異なる、非対称な形状である軒樋の左右側に位置する端部に取付可能とされ、軒樋の開口を閉塞する軒樋止まり部材において、
平板状の本体部が設けられ、
前記軒樋の内周面の形状に一致する断面形状を有し、軒樋に内側から嵌合可能とされた嵌合リブが、前記本体部の表裏両面に突設され、本体部の表面側と裏面側に位置する嵌合リブは、本体部を挟んで対称に配置されている
ことを特徴とする軒樋止まり部材。
【請求項２】
前記嵌合リブでは、前記軒樋の上端開口部側に配置される先端部に、軒樋の前耳部をその下側から係止する前耳係止部と、軒樋の後耳部をその下側から係止する後耳係止部とが設けられていることを特徴とする軒樋止まり部材。
【請求項３】
前記本体部の表裏両面において、複数の化粧リブが、前記嵌合リブの内側に設けられていることを特徴とする請求項１または２に記載の軒樋止まり部材。
【発明の詳細な説明】
【技術分野】
【０００１】
本発明は、軒樋の左右側に位置する端部開口を閉塞する軒樋止まり部材に関する。
【背景技術】
【０００２】
建物の軒先に設置された軒樋の終端には、蓋状の軒樋止まり部材が取り付けられ、軒樋の左右側に位置する端部開口をその軒樋止まり部材によって閉塞し、雨水の流出を防止している。
【０００３】
このような軒樋止まり部材に関し、下記特許文献１には、軒樋の内周面にほぼ密着する形状の側壁と、この側壁の内部を周方向に仕切るように設けられた止水板とからなる軒樋止まりが記載されている。この軒樋止まりでは、その側壁に、軸方向にスライド溝が貫通して設けられ、止水板に、外方向に突出した突出片が設けられ、この突出片がスライド溝に摺動自在に挿入されている。
【０００４】
また、上記軒樋止まりでは、軒樋ストッパーが、側壁の外周面の周方向に沿って取り付けられ、この軒樋ストッパーは、上記突出片に固着され、側壁を挟んで止水板といっしょに摺動可能とされている。
【０００５】
このような特許文献１に記載された軒樋止まりは、軒樋が、前壁部側と後壁部側で異なる非対称な断面形状を有するものであっても、左仕様と右仕様の２種類を必要とせず、１種類で対応することができるという利便性を有している。また、この軒樋止まりは、軒樋に取り付けたときに軒樋の先端部が余り長くならずに済むという利便性を有してもいる。
【先行技術文献】
【特許文献】
【０００６】
【特許文献１】特開平７−２１７１１８号公報
【発明の概要】
【発明が解決しようとする課題】
【０００７】
しかしながら、特許文献１に記載された軒樋止まりは、側壁と、止水板と、軒樋ストッパーとの３部材から形成され、側壁にはスライド溝が設けられ、そのスライド溝を貫通する突出片によって止水板と軒樋ストッパーが連結されている。このため、特許文献１に記載された軒樋止まりは、確かに上記のとおりの利便性を有するものではあるが、その一方で、構造が必ずしも簡単ではなく、その製造や軒樋への取付作業性にやや難点が見出される。
【０００８】
本発明は、以上のとおりの事情に鑑みてなされたものであり、断面形状が、前壁部側と後壁部側で異なる、非対称な形状である軒樋に対し、１種類で対応可能であるとともに、簡略化された構造を有し、製造と軒樋への取付けが容易である軒樋止まり部材を提供することを課題としている。
【課題を解決するための手段】
【０００９】
上記の課題を解決するために、本発明の軒樋止まり部材は、断面形状が、前壁部側と後壁部側で異なる、非対称な形状である軒樋の左右側に位置する端部に取付可能とされ、軒樋の開口を閉塞する軒樋止まり部材において、平板状の本体部が設けられ、軒樋の内周面の形状に一致する断面形状を有し、軒樋に内側から嵌合可能とされた嵌合リブが、本体部の表裏両面に突設され、本体部の表面側と裏面側に位置する嵌合リブは、本体部を挟んで対称に配置されていることを特徴とする。
【００１０】
この軒樋止まり部材においては、嵌合リブでは、軒樋の上端開口部側に配置される先端部に、軒樋の前耳部をその下側から係止する前耳係止部と、軒樋の後耳部をその下側から係止する後耳係止部とが設けられていることが好ましい。
【００１１】
この軒樋止まり部材においては、本体部の表裏両面において、複数の化粧リブが、嵌合リブの内側に設けられていることが好ましい。
【発明の効果】
【００１２】
本発明の軒樋止まり部材によれば、断面形状が、前壁部側と後壁部側で異なる、非対称な形状である軒樋に対し、１種類で対応可能であるとともに、簡略化された構造を有し、製造と軒樋への取付けが容易である。
【図面の簡単な説明】
【００１３】
【図１】本発明の軒樋止まり部材の一実施形態をその表面側から見た斜視図である。
【図２】図１に示した軒樋止まり部材をその裏面側から見た斜視図である。
【図３】図１に示した軒樋止まり部材の平面図である。
【図４】（ａ）（ｂ）は、それぞれ、図１に示した軒樋止まり部材を軒樋の左右側に位置する端部開口に取り付けた状態を示した要部平面図であり、（ａ）が、軒樋止まり部材の取付けの左仕様を、（ｂ）が右仕様を示している。
【発明を実施するための形態】
【００１４】
図１は、本発明の軒樋止まり部材の一実施形態をその表面側から見た斜視図である。図２は、図１に示した軒樋止まり部材をその裏面側から見た斜視図である。図３は、図１に示した軒樋止まり部材の平面図である。
【００１５】
図１−３に示した軒樋止まり部材１は、軒樋２の左右側に位置する端部に取り付けられるものであり、開口２ａを閉塞するものである。このために、軒樋止まり部材１は、蓋状の本体部３を備えている。本体部３は、軒樋２の断面形状に対応する平板状の形状を有している。軒樋２の断面形状は、軒先に取り付けられたときに建物から遠くに配置される前壁部２ｂ側と、建物の近くに配置される後壁部２ｃ側とで異なり、非対称な形状となっている。前壁部２ｂは、軒樋２の底壁部２ｄの一側端から軒樋２の外側に向かって斜め上方に延びている。一方、後壁部２ｃは、底壁部２ｄの他側端からほぼ垂直上方に延びている。また、軒樋２では、前壁部２ｂ、後壁部２ｃのそれぞれの上端部に、内側に折れ曲がるように突出する前耳部４、後耳部５が設けられている。軒樋止まり部材１の本体部３は、このような軒樋２の断面形状に対応する形状とされている。
【００１６】
また、軒樋止まり部材１では、軒樋２に内側から嵌合可能とされた嵌合リブ６が、本体部３の表面３ａおよび裏面３ｂの両面に突設されている。嵌合リブ６の断面形状は、軒樋２の内周面の形状に一致する形状とされ、略コ字型の形状となっている。すなわち、嵌合リブ６は、本体部３の上端部を除く外周縁の内側に、その外周縁に沿って配置されている。そして、嵌合リブ６では、図１に示した本体部３の表面３ａ側に位置するものと、図２に示した本体部３の裏面３ｂ側に位置するものが、図３に示したように、本体部３を挟んで対称に配置されている。
【００１７】
このような嵌合リブ６の突出代は、軒樋２との嵌合が可能な程度にできるだけ少なくすることが好ましい。これは、軒樋止まり部材１が軒樋２の左右側に位置する端部に取り付けられる際に、本体部３の表面３ａまたは裏面３ｂのいずれか一方の面に設けられた嵌合リブ６が軒樋２の内側に嵌合する一方で、他方の面に設けられた嵌合リブ６が露出するためである。嵌合リブ６の露出によっても外観が低下しないように、嵌合リブ６の突出代をできるだけ少なくすることが好ましく、少ない突出代によって、軒樋止まり部材１と軒樋２の見た目の差を低減させることができる。なお、嵌合リブ６の突出代が少なくても、軒樋止まり部材１の軒樋２への取付けの際には、嵌合リブ６の外周面に接着剤を塗布することができるので、軒樋止まり部材１の固定強度は十分なものとすることができる。
【００１８】
また、嵌合リブ６については、その厚みを、嵌合強度が確保される程度にできるだけ薄くすることも好ましい。このように嵌合リブ６の厚みを薄くすると、嵌合リブ６の断面形状と軒樋２の内周面の形状が製造上の誤差などによって若干食い違う場合、軒樋止まり部材１を軒樋２に取り付ける際に、嵌合リブ６を部分的に除去することができ、嵌合リブ６の軒樋２への嵌合を確実に実現することができる。また、嵌合リブ６の部分的な除去を軒樋止まり部材１の取付現場において簡単に行うことができる。
【００１９】
さらに、嵌合リブ６では、図１および図２に示したように、軒樋２の上端開口部２ｅ側に配置される先端部に、前耳係止部７および後耳係止部８が設けられている。前耳係止部７は、軒樋２の前壁部２ｂ側に位置する嵌合リブ６の先端部に設けられており、本体部３の内側に延びている。前耳係止部７の長さは、軒樋２の前壁部２ｂの上端部に設けられた前耳部４の長さとほぼ一致している。後耳係止部８は、軒樋２の後壁部２ｃ側に位置する嵌合リブ６の先端部それ自体によって形成されている。このような前耳係止部７は、軒樋止まり部材１を軒樋２に取り付ける際に、軒樋２の前耳部４をその下側から係止し、後耳係止部８は、同様に、軒樋２の後耳部５をその下側から係止することができる。
【００２０】
また、軒樋止まり部材１では、本体部３の表面３ａおよび裏面３ｂの両面において、複数の化粧リブ９が、嵌合リブ６の内側に設けられている。化粧リブ９は、軒樋２の前壁部２ｂ側に位置する嵌合リブ６と軒樋２の後壁部２ｃ側に位置する嵌合リブ６と接続するように延び、また、軒樋２の底壁部２ｄ側に位置する嵌合リブ６と平行に一定間隔で配置されている。軒樋２の後壁部２ｃ側に位置する嵌合リブ６では、後耳係止部８を形成している先端部にも化粧リブ９が設けられている。後耳係止部８よりも上側に位置する、軒樋２の前壁部２ｂ側に位置する嵌合リブ６の上端部では、前耳係止部７と平行に他の化粧リブ９と同じ間隔で、前耳係止部７より長さの短い化粧リブ９が設けられている。
【００２１】
化粧リブ９は、軒樋止まり部材１を軒樋２に取り付ける際に露出する表面３ａまたは裏面３ｂのいずれか一方の面における外観の低下をより抑制するためのものである。化粧リブ９は、すなわち、断面略コ字型の嵌合リブ６のみが強く視認されないように、嵌合リブ６の存在をぼかすものである。このような化粧リブ９については、上記のとおりの機能から明らかであるように、その形状は、軒樋２の前壁部２ｂにおける表面の意匠に対応させて形成することが好ましい。また、図１および図２に示した、嵌合リブ６を接続するように延びる化粧リブ９は、嵌合リブ６が、上記のとおり、突出代が少なく、また、厚みが薄いものである場合に、嵌合リブ６の強度を補強する機能も果たすことができる。
【００２２】
上記のとおりの軒樋止まり部材１は、軒樋２と同材料などから形成することができ、樹脂製などとすることができる。そして、軒樋止まり部材１は、本体部３と嵌合リブ６、また、化粧リブ９を一体物として成形することにより、１部材として製造される。
【００２３】
図４（ａ）（ｂ）は、それぞれ、図１に示した軒樋止まり部材を軒樋の左右側に位置する端部開口に取り付けた状態を示した要部平面図であり、（ａ）が軒樋止まり部材の取付けの左仕様を、（ｂ）が右仕様を示している。
【００２４】
図４（ａ）に示したように、軒樋止まり部材１を軒樋２の左側に位置する端部に取り付け、軒樋２の左側の開口２ａを閉塞する場合、軒樋止まり部材１の本体部３において表面３ａ側に位置する嵌合リブ６の外周面に接着剤を塗布し、嵌合リブ６を軒樋２の内側に嵌合させ、接着する。軒樋２の前耳部４は前耳係止部７に、後耳部５は後耳係止部８にそれぞれ係止され、軒樋２の開口２ａは、本体部３によって閉塞される。本体部３の裏面３ｂ側に位置する嵌合リブ６は露出することになるが、嵌合リブ６の突出代を適宜調整することにより、また、化粧リブ９の存在によって、嵌合リブ６が際立って認識されることはない。軒樋止まり部材１と軒樋２の見た目の差は低減される。
【００２５】
図４（ｂ）に示したように、軒樋止まり部材１を軒樋２の右側に位置する端部に取り付け、軒樋２の右側の開口２ａを閉塞する場合も、同様の作業となる。軒樋止まり部材１の本体部３において裏面３ｂ側に位置する嵌合リブ６の外周面に接着剤を塗布し、嵌合リブ６を軒樋２の内側に嵌合させ、接着する。軒樋２の前耳部４は前耳係止部７に、後耳部５は後耳係止部８にそれぞれ係止され、軒樋２の開口２ａは、本体部３によって閉塞される。露出する嵌合リブ６は、本体部３の表面３ａ側に位置するものであるが、この嵌合リブ６も、その突出代の調整や化粧リブ９の存在によって、嵌合リブ６が際立って認識されることはなく、軒樋止まり部材１と軒樋２の見た目の差は低減される。
【００２６】
このように、軒樋止まり部材１では、嵌合リブ６が本体部３の表面３ａと裏面３ｂの両面に突設され、表面３ａ側に位置する嵌合リブ６と裏面３ｂ側に位置する嵌合リブ６が本体部３を挟んで対称に配置されているので、１種類の軒樋止まり部材１のみで取付けの左仕様と右仕様の対応が可能となる。左仕様と右仕様で形状が異なり、２種類が必要とされる軒樋止まり部材に比べ、在庫数を削減することができ、在庫管理が容易となる。また、軒樋止まり部材１は、構造が簡略化されており、射出成形などにより一体物として製造することができるため、製造が容易であり、また、金型投資を抑制することができ、コスト低減に有効となる。さらに、軒樋２への取付けの際には、多少の後加工が必要とされる場合があっても、軒樋止まり部材１は、基本的に、嵌合リブ６を軒樋２の内側に嵌合させるだけの作業で済むため、取付けも容易となる。
【００２７】
また、軒樋止まり部材１では、嵌合リブ６の先端部に前耳係止部７および後耳係止部８が設けられているため、軒樋２の前耳部４および後耳部５を係止することができ、軒樋止まり部材１は、軒樋２の端部に安定に結合され、開口２ａからの漏水などを十分に抑えることができる。
【００２８】
そして、軒樋止まり部材１では、本体部３の表面３ａおよび裏面３ｂの両面において、複数の化粧リブ９が、嵌合リブ６の内側に設けられているので、軒樋２への取付けにより露出する表面３ａまたは裏面３ｂのいずれか一方の面側に位置する嵌合リブ６の存在を際立たせずに、ぼかすことができる。軒樋止まり部材１と軒樋２の見た目の差が低減される。
【００２９】
もちろん、本発明は、以上の実施形態に限定されるものではない。本体部および嵌合リブの形状や形成材料などについては、軒樋を考慮して適宜なものを選定することができる。
【符号の説明】
【００３０】
１  軒樋止まり部材
２  軒樋
２ａ  開口
２ｂ  前壁部
２ｃ  後壁部
３  本体部
３ａ  表面
３ｂ  裏面
４  前耳部
５  後耳部
６  嵌合リブ
７  前耳係止部
８  後耳係止部
９  化粧リブ
【図１】
2012112131.tif 000003
【図２】
2012112131.tif 000004
【図３】
2012112131.tif 000005
【図４】
2012112131.tif 000006